(57)【要約】【課題】ｐｐｂレベルの微量なガスによっても悪影響を蒙るような物品と一緒に支障なく密封ないしは梱包できて、この密封ないしは梱包状態が続く間かかるガスを静的に捕捉除去し得るガス除去具の提供。【解決手段】ポリテトラフルオロエチレン（ＰＴＦＥ）よりなるシート体１１ａを主体として構成される通気性を備えた袋体１内に、ガス吸着剤２を封入させてなる。袋体１は、幅広の両面１０、１０を備えて断面を扁平とするように構成されている。ガス除去剤２としては、粉状の活性炭、粒状の活性炭、シート状に成形した活性炭などが用いられる。【選択図】図１
2006297211.tif 000002
【特許請求の範囲】
【請求項１】
ポリテトラフルオロエチレンよりなるシート体を主体として構成される通気性を備えた袋体内に、ガス吸着剤を封入させてなることを特徴とするガス除去具。
【請求項２】
袋体が、幅広の両面を備えて断面を扁平とするように構成されていることを特徴とする請求項１記載のガス除去具。
【発明の詳細な説明】
【技術分野】
【０００１】
この発明は、各種の密封空間や梱包空間内に納められた各種の物品に対してこれらの空間内で悪影響を及ぼし得る微量なガスを、これらの空間内にこれらの物品と一緒に納められて、いわば静的に除去するガス除去具に関する。
【背景技術】
【０００２】
通気孔を備えたプラスチック製の容器などの中にガス吸着剤を充填してなるガス除去具が、脱臭剤などとして汎用されている。
【０００３】
一方、半導体や液晶パネル、シリコンウエハー、美術品などにあっては、これらを納める密封空間や梱包空間内に、密封時や梱包時に、あるいは事後に、存在することとなったｐｐｂレベルの微量なガスによっても悪影響を蒙ることから、こうした空間内に前記のようなガス除去具を一緒に納め、密封ないしは梱包状態が継続する限り、かかるガス除去具によって前記の微量なガスを捕捉・除去できるようにしておくことが望まれるところである。
【０００４】
しかるに、汎用されているガス除去具にあっては、ガス吸着剤を充填備える容器など自体が微量なガスや塵芥を生じ得るものであるため、こうしたガス吸着剤はｐｐｂレベルの微量なガスによっても悪影響を蒙るような物品が密封ないしは梱包されている空間にはそもそも一緒に納め得るようなものではない。
【発明の開示】
【発明が解決しようとする課題】
【０００５】
この発明が解決しようとする主たる問題点は、ｐｐｂレベルの微量なガスによっても悪影響を蒙るような物品と一緒に支障なく密封ないしは梱包できて、この密封ないしは梱包状態が続く間かかるガスを静的に捕捉除去し得るガス除去具を提供する点にある。
【課題を解決するための手段】
【０００６】
前記課題を解決するために、この発明にあっては、ガス除去具を、ポリテトラフルオロエチレン（ＰＴＦＥ）よりなるシート体を主体として構成される通気性を備えた袋体内に、ガス吸着剤を封入させてなるものとした。
【０００７】
かかる袋体は通気性を有し、密閉空間や梱包空間内にこれらの空間内に納められる物品と一緒に納められたガス除去具の袋体内はかかる空間の一部をなす。従って、かかる空間内に袋体内に封入されたガス除去剤によって吸着され得るガスがある場合にはかかるガスはガス除去具によって捕捉され、かかる空間内に納められた物品へのこのガスによる影響をできる限り生じさせないようにすることができる。袋体を構成するＰＴＦＥよりなるシート体は、自身よりガスや粉塵を生じさせることがなく、また、袋体に封入されたガス除去剤から生じる粉塵などを外部に漏れ出させることもない。
【０００８】
前記袋体を、幅広の両面を備えて断面を扁平とするように構成させておくこともある。
【０００９】
このようにした場合、前記空間内に、かかる幅広の両面のいずれかを下にして落ち着き良くガス除去具を設置することができる。
【発明の効果】
【００１０】
この発明にかかるガス除去具は、ＰＴＦＥよりなるシート体を主体として構成された袋体内にガス除去剤を封入させてなることから、ｐｐｂレベルの微量なガスによっても悪影響を蒙るような物品と一緒に支障なく密封ないしは梱包でき、そして、この密封ないしは梱包状態が続く間、封入されたガス吸着剤によってかかるガスを静的に捕捉除去する。
【発明を実施するための最良の形態】
【００１１】
以下、この発明を実施するための最良の形態について説明する。
【００１２】
この実施の形態にかかるガス除去具は、各種の密封空間や梱包空間内に納められた各種の物品に対してこれらの空間内で悪影響を及ぼし得る微量なガスを、これらの空間内にこれらの物品と一緒に納められて、いわば静的に除去するために用いられるものである。
【００１３】
かかる空間としては、典型的には、以下のような空間を想定するものである。
（１）美術館や博物館の展示ケース内の空間
（２）半導体や液晶パネルなどの電子部品や、電子機器の包装体内の空間
（３）シリコンウエハーなどの運搬をなすときに用いるケース内の空間
【００１４】
前記ガスとしては、典型的には、以下のようなガスを想定するものである。
（ａ）酢酸、蟻酸、塩酸などの酸性物質よりなるガス
（ｂ）アンモニア、アミン類などのアルカリ性物質よりなるガス
（ｃ）トルエン、キシレンなどの有機物よりなすガス
【００１５】
具体的には、美術館や博物館の展示ケース内の空間にあっては、主として酸性ガス、アルカリ性ガスの除去が求められる。また、電子部品や電子機器の包装体内の空間内やシリコンウエハーなどの運搬をなすときに用いるケース内の空間にあっては、酸性ガス、アルカリ性ガス、有機性ガス全ての除去が求められる。
【００１６】
この実施の形態にかかるガス除去具は、これらの空間内に前記のような物品と一緒に納められて、これらの空間内に密封時や梱包時に、あるいは事後的に、存在するに至った前記ガスを吸着・除去するものである。
【００１７】
かかるガス除去具は、通気性を備えた袋体１と、この袋体１内に封入されたガス吸着剤２とから構成されている。
【００１８】
図１にかかるガス除去具の典型的な構成例の一つを示す。この図示の例では、袋体１は、幅広の両面１０、１０を備えて断面を扁平とするように構成されている。これにより、図示の例にあっては、前記空間内に、かかる幅広の両面１０、１０のいずれかを下にして落ち着き良くガス除去具を設置できるようになっている。
【００１９】
かかる袋体１は、ポリテトラフルオロエチレン（ＰＴＦＥ）よりなるシート体１１ａを主体として構成されている。
【００２０】
具体的には、図示の例にあっては、袋体１は、ＰＴＦＥを延伸させて得られた、微細な孔を持ったシート体１１ａの両面に、ポリエチレン（ＰＥ）とポリエチレンテレフタレート（ＰＥＴ）との複合素材よりなるシート状の不織布１１ｂを、積層させてなる袋構成材１１によって構成されている。図示の例にあっては、二枚のかかる袋構成材１１を重ね合わせるようにした状態から、これに一対の縦ヒートシール１２、１２と一対の横ヒートシール１３、１３とを施して、幅広の両面１０、１０を方形とした袋体１を得るようにしている。ＰＴＦＥは比較的融点が高いが、二枚の袋構成材１１、１１は袋内面側に位置される前記不織布１１ｂによって前記各ヒートシール１２…１３により適切にとじ合わされる。ガス除去剤は、前記各ヒートシール１２…１３のうちの最後のヒートシール１３がなされる前に、先だって施された三つのヒートシール１２、１２、１３によって作り出された有底空間内に充填される。この充填後にかかる最後のヒートシール１３を施すことによりガス除去剤２は袋体内に封入されることとなる。
【００２１】
なお、一枚の袋構成材１１を二つ折りにしてその折った側と反対の側に縦ヒートシール１２を施すようにする場合には、一つの縦ヒートシール１２と一対の横ヒートシール１３、１３とによって袋体１が形成されることになる。
【００２２】
ＰＴＦＥ製のシート体１１ａ、および、袋内面および袋外面を構成するＰＥ製の不織布１１ｂはいずれも通気性を有することから、袋体１は通気性を有し、密閉空間や梱包空間内にこれらの空間内に納められる物品と一緒に納められたガス除去具の袋体１内はかかる空間の一部をなす。従って、かかる空間内に袋体１内に封入されたガス除去剤によって吸着され得るガスがある場合にはかかるガスはガス除去具によって捕捉され、かかる空間内に納められた物品へのこのガスによる影響をできる限り生じさせないようにすることができる。
【００２３】
また、袋体１を構成するＰＴＦＥよりなるシート体１１ａは、自身よりガスや粉塵を生じさせることがなく、また、袋体１に封入されたガス除去剤２から生じる粉塵などを外部に漏れ出させることもない。
【００２４】
ガス除去剤としては、粉状の活性炭、粒状の活性炭、シート状に成形した活性炭などを用いることができる。
【００２５】
また、これらの活性炭を担持体として、酸性化合物（例えば、リン酸化合物、硫酸化合物など）を担持させれば、有機性ガスの他にアルカリ性ガスを効率的に捕捉除去することができる。
【００２６】
また、これらの活性炭を担持体として、アルカリ化合物（例えば、炭酸カリウム、炭酸ソーダ、苛性カリウムなど）を担持させれば、有機性ガスの他に酸性ガスを効率的に捕捉除去することができる。
【００２７】
また、上記酸性化合物を担持した活性炭とアルカリ化合物を担持した活性炭とをブレンドしてガス除去剤とすれば、有機性ガス、アルカリ性ガス、酸性ガスのいずれをも効率的に捕捉除去することができる。
【図面の簡単な説明】
【００２８】
【図１】ガス除去具の一例を示した要部破断斜視構成図
【符号の説明】
【００２９】
１  袋体
１１ａ  シート体
２  ガス吸着剤
【図１】
2006297211.tif 000003